(57)【要約】      （修正有）【課題】時計の組み立てを簡略化し、かつ、文字板を強固に固定できる文字板ユニット、ムーブメントユニットおよび時計を提供する。【解決手段】文字板ユニット１０は、積層された複数の板材によって構成された文字板２０と、文字板２０の裏面側に配置され、文字板２０を支持する文字板受け部材３０と、を備え、文字板２０における最表層の板材６０には、裏面から突出する突出ピン６１が設けられ、文字板２０における最表層以外の板材５０には、貫通孔５１、５２が形成され、突出ピン６１は、貫通孔５１、５２を挿通し、文字板受け部材３０に固定されている。【選択図】図３
2017181081.tif 000002
【特許請求の範囲】
【請求項１】
積層された複数の板材によって構成された文字板と、
前記文字板の裏面側に配置され、前記文字板を支持する文字板受け部材と、を備え、
前記文字板における最表層の板材には、裏面から突出する突出ピンが設けられ、
前記文字板における最表層以外の板材には、貫通孔が形成され、
前記突出ピンは、前記貫通孔を挿通し、前記文字板受け部材に固定されている
ことを特徴とする文字板ユニット。
【請求項２】
請求項１に記載の文字板ユニットにおいて、
前記最表層の板材と、前記最表層以外の板材の少なくとも１つとは、互いに異なる材料で形成されている
ことを特徴とする文字板ユニット。
【請求項３】
請求項１または請求項２に記載の文字板ユニットにおいて、
前記文字板および前記文字板受け部材の間に配置された太陽電池を備え、
前記太陽電池の外周縁は、前記太陽電池を厚み方向から見た平面視において、前記突出ピンの内側に位置している
ことを特徴とする文字板ユニット。
【請求項４】
請求項１から請求項３のいずれか１項に記載の文字板ユニットと、
前記文字板受け部材に取り付けられるムーブメントと、を備える
ことを特徴とするムーブメントユニット。
【請求項５】
請求項４に記載のムーブメントユニットを備える
ことを特徴とする時計。
【請求項６】
請求項５に記載の時計において、
前記文字板ユニットの前記最表層の板材の表面側に設けられたダイヤルリングを備える
ことを特徴とする時計。
【発明の詳細な説明】
【技術分野】
【０００１】
本発明は、文字板ユニット、ムーブメントユニットおよび時計に関する。
【背景技術】
【０００２】
従来、積層された複数の板材によって構成された積層文字板を備える時計が存在する（例えば、特許文献１参照）。
特許文献１の時計では、３層の板材によって文字板が構成され、表面層の板材が、裏面から突出した連結脚を備え、当該連結脚が、中間層の板材を貫通し、裏面層の板材に結合している。また、裏面層の板材は、裏面から突出した固定脚を備え、当該固定脚は、ムーブメントに固定されている。
【先行技術文献】
【特許文献】
【０００３】
【特許文献１】特開２００５−１０６６４１号公報
【発明の概要】
【発明が解決しようとする課題】
【０００４】
しかしながら、特許文献１の時計では、時計を組み立てる際、３層の板材を互いに連結する工程と、３層の板材から構成される文字板をムーブメントに固定する工程とが必要であるため、時計の組み立てにかかる工程数が多いという問題がある。
【０００５】
本発明の目的は、時計の組み立てを簡略化し、かつ、文字板を強固に固定できる文字板ユニット、ムーブメントユニットおよび時計を提供することにある。
【課題を解決するための手段】
【０００６】
本発明の文字板ユニットは、積層された複数の板材によって構成された文字板と、前記文字板の裏面側に配置され、前記文字板を支持する文字板受け部材と、を備え、前記文字板における最表層の板材には、裏面から突出する突出ピンが設けられ、前記文字板における最表層以外の板材には、貫通孔が形成され、前記突出ピンは、前記貫通孔を挿通し、前記文字板受け部材に固定されていることを特徴とする。
【０００７】
本発明によれば、最表層の板材に設けられた突出ピンが文字板受け部材に固定されるため、最表層の板材は、文字板受け部材に固定される。また、最表層以外の板材は、最表層の板材と文字板受け部材とで挟持され、かつ、貫通孔に挿通された突出ピンによって、平面方向の移動が規制されることで、文字板受け部材に固定される。これにより、文字板を文字板受け部材に強固に固定できる。
また、突出ピンを文字板受け部材に固定させる工程のみで、複数の板材を固定できるため、例えば、複数の板材を互いに連結する工程と、連結された複数の板材をムーブメントなどに固定する工程とを行うことで、複数の板材を固定する場合と比べて、時計の組み立てを簡略化できる。
また、突出ピンは、文字板と文字板受け部材との間に配置されるカレンダー車や太陽電池などの部品と干渉しないように外周縁近傍に位置していることが好ましい。このため、文字板のサイズが変われば、突出ピンの位置も変わる。したがって、例えば、突出ピンが、ムーブメントが備える地板に固定されている場合は、文字板のサイズが異なる場合、ムーブメントの構成を変更する必要がある。これに対して、本発明によれば、突出ピンは、文字板受け部材に固定されているため、文字板のサイズが異なる場合であっても、文字板受け部材のサイズや文字板受け部材における突出ピンが固定される位置を変更すればよく、ムーブメントの構成は変更しなくてよい。
【０００８】
本発明の文字板ユニットにおいて、前記最表層の板材と、前記最表層以外の板材の少なくとも１つとは、互いに異なる材料で形成されていることが好ましい。
本発明によれば、例えば、最表層の板材は、外観を向上させるため、金属で形成し、最表層以外の板材は、加工が金属よりも容易なプラスチックで形成することができる。このように、本発明によれば、外観や加工のし易さや機能などに応じて、各板材の材料を自由に選択できるため、すべての板材が同じ材料で形成されている場合と比べて、設計の自由度を向上できる。
【０００９】
本発明の文字板ユニットにおいて、前記文字板および前記文字板受け部材の間に配置された太陽電池を備え、前記太陽電池の外周縁は、前記太陽電池を厚み方向から見た平面視において、前記突出ピンの内側に位置していることが好ましい。
本発明によれば、太陽電池に突出ピンを挿通させる貫通孔を形成することなく、突出ピンを文字板受け部材に固定させることができるため、別途、太陽電池に孔開け加工を行う必要がない。
【００１０】
本発明のムーブメントユニットは、上記文字板ユニットと、前記文字板受け部材に取り付けられるムーブメントと、を備えることを特徴とする。
本発明によれば、文字板のサイズが異なる場合であっても、文字板受け部材のサイズや文字板受け部材における突出ピンが固定される位置を変更すればよく、ムーブメントの構成は変更しなくてよい。
【００１１】
本発明の時計は、上記ムーブメントユニットを備えることを特徴とする。
本発明によれば、文字板のサイズが異なる場合であっても、文字板受け部材のサイズや文字板受け部材における突出ピンが固定される位置を変更すればよく、ムーブメントの構成は変更しなくてよいため、文字板のサイズが異なる時計を容易に製造できる。
【００１２】
本発明の時計において、前記文字板ユニットの前記最表層の板材の表面側に設けられたダイヤルリングを備えることが好ましい。
本発明によれば、最表層の板材の時計表面側への移動が、ダイヤルリングによって規制できるため、突出ピンが文字板受け部材から外れることを抑制でき、文字板を文字板受け部材に強固に固定できる。
【図面の簡単な説明】
【００１３】
【図１】本発明に係る実施形態の時計の正面図。
【図２】実施形態における時計の断面図。
【図３】実施形態における文字板ユニットを表面側から見た分解斜視図。
【図４】実施形態における文字板ユニットを裏面側から見た分解斜視図。
【図５】実施形態における太陽電池が取り付けられた文字板受けリングを示す斜視図。
【図６】実施形態における突出ピンおよび固定孔の固定構造を示す断面図。
【図７】実施形態における固定孔を示す平面図。
【図８】本発明に係る他の実施形態の文字板ユニットの分解斜視図。
【図９】本発明に係るさらに他の実施形態の時計の断面図。
【発明を実施するための形態】
【００１４】
以下、本発明の実施形態に係る時計（腕時計）１を図面に基づいて説明する。
図１は、時計１の正面図である。図２は、時計１の断面図であり、左半分は、時計１の６時位置から平面中心までの断面であり、右半分は、平面中心から３時位置までの断面である。
図１、図２に示すように、時計１は、後述するムーブメント１１等を収容する外装ケース２を備える。外装ケース２は、円筒状のケース本体３と、裏蓋４とを備える。
【００１５】
ケース本体３には、ボタン５，６およびリューズ７が設けられている。
また、ケース本体３の表面側には、ケース本体３の表面側の開口を塞ぐ円板状のカバーガラス８が設けられている。
また、ケース本体３の裏面側には、ケース本体３の裏面側の開口を塞ぐ円板状の裏蓋４が設けられている。裏蓋４は、ケース本体３にねじ込まれて取り付けられている。
ケース本体３および裏蓋４には、ＢＳ（真鍮）、ＳＵＳ（ステンレス鋼）、チタン合金などの金属材料が利用される。
【００１６】
［時計の内部構造］
次に、時計１の外装ケース２に内蔵される内部構造について説明する。
図２に示すように、外装ケース２内には、ムーブメント１１と、太陽電池４０と、文字板２０と、文字板受けリング３０とが収納されている。
ムーブメント１１は、文字板受けリング３０の内周に取り付けられている。また、太陽電池４０および文字板２０は文字板受けリング３０の表面に当接され、ムーブメント１１の時計表面側（カバーガラス８側）に配置されている。
【００１７】
［ムーブメント］
ムーブメント１１には、従来から時計に用いられているものが利用できる。本実施形態では、ムーブメント１１に、太陽電池４０の発電電力を充電する二次電池と、二次電池の電力で駆動されるステップモーターと、ステップモーターによって駆動される輪列とを備えたムーブメントが利用される。
ムーブメント１１は、ステップモーターおよび輪列を介して、図１に示す時針２１、分針２２、秒針２３、クロノグラフ秒針２４、クロノグラフ分針２５、日車２６を駆動する。なお、時針２１、分針２２、秒針２３は、文字板２０の平面中心に指針軸が位置し、クロノグラフ秒針２４は、文字板２０の平面中心に対して６時方向にずれた位置に指針軸が位置し、クロノグラフ分針２５は、文字板２０の平面中心に対して９時方向にずれた位置に指針軸が位置している。
また、ムーブメント１１には巻真１４が取り付けられ、巻真１４の端部にはリューズ７が取り付けられている。
【００１８】
［文字板受けリング］
図３は、文字板２０と文字板受けリング３０と太陽電池４０とから構成される文字板ユニット１０を、カバーガラス８側から見た分解斜視図である。図４は、文字板ユニット１０を、裏蓋４側から見た分解斜視図である。図５は、太陽電池４０が取り付けられた文字板受けリング３０を示す斜視図である。
文字板２０を支持する文字板受け部材としての文字板受けリング３０は、ポリアセタール樹脂等の合成樹脂で形成され、図３、図４に示すように、円環状に形成されている。
図５に示すように、文字板受けリング３０の表面には、太陽電池４０を位置決めする４つの突起部３１，３２，３３，３４が形成されている。
また、文字板受けリング３０には、表面から突出した４つの突出部３５，３６，３７，３８が形成されている。
突出部３５〜３８は、時計１を厚み方向から見た平面視において、文字板受けリング３０の中心に対して、略等しい角度間隔で配置されている。
【００１９】
突出部３５および突出部３６は、文字板受けリング３０の平面中心に対して、略点対称となる位置に形成されている。
突出部３５には、後述する第２板材６０が備える突出ピン６１が圧入される固定孔３５１が形成されている。また、突出部３５の表面には、固定孔３５１の外側に、後述する第１板材５０を位置決めする突起部３５２が形成されている。また、突出部３５には、内側に延出し、太陽電池４０を位置決めする延出部３５３が形成されている。
突出部３６には、突出部３５と同様に、第２板材６０が備える突出ピン６２が圧入される固定孔３６１が形成され、突出部３６の表面には、固定孔３６１の外側に、第１板材５０を位置決めする突起部３６２が形成されている。
【００２０】
突出部３７および突出部３８は、文字板受けリング３０の平面中心に対して、略点対称となる位置に形成されている。
突出部３７には、表面側の端部から内側に延出し、太陽電池４０の表面側に位置する爪部３７１が形成されている。爪部３７１は、太陽電池４０のカバーガラス８側への移動を規制する。また、突出部３７の外周側の表面には、第１板材５０を位置決めする突起部３７２が形成されている。
突出部３８には、突出部３７と同様に、表面側の端部から内側に延出し、太陽電池４０の表面側に位置する爪部３８１が形成されている。また、突出部３８の外周側の表面には、第１板材５０を位置決めする突起部３８２が形成されている。
なお、文字板受けリング３０の内周側には、図４に示すように、ムーブメント１１が備える地板と係合する係合爪３９１，３９２が形成されている。この係合爪３９１，３９２によって、ムーブメント１１は文字板受けリング３０に取り付けられる。ここで、文字板ユニット１０と、文字板ユニット１０に取り付けられたムーブメント１１とは、本発明のムーブメントユニットを構成する。
【００２１】
［太陽電池］
太陽電池４０は、図５に示すように、円板状に形成され、外側に延出した４つの延出部４１，４２，４３，４４を備えている。延出部４１〜４４は、前記平面視において、文字板受けリング３０の内周側の端部と重なっている。延出部４１〜４４の裏面は、文字板受けリング３０の表面に当接している。ここで、太陽電池４０の外周縁は、前記平面視において、突出部３５〜３８の内側に位置している。また、太陽電池４０の表面は、突出部３５〜３８の表面よりも、文字板２０から離れる方向に位置している。
また、太陽電池４０の外周には、前記平面視において外周側に開口し、文字板受けリング３０に形成された突起部３１〜３４、延出部３５３と係合する凹部４５，４６，４７，４８，４９が形成されている。
また、太陽電池４０には、時針２１、分針２２、秒針２３の指針軸が挿通する孔４０１と、クロノグラフ秒針２４の指針軸が挿通する孔４０２と、クロノグラフ分針２５の指針軸が挿通する孔４０３と、日車２６に表記された数字を視認させる孔４０４とが形成されている。
また、文字板受けリング３０の爪部３７１，３８１は、太陽電池４０の表面側に位置している。これにより、太陽電池４０の文字板２０側への移動が規制されている。
なお、太陽電池４０には、カバーガラス８から入射した光が、後述する第２板材６０の開口部６０２，６０３、および、透光性を有する第１板材５０を介して照射される。
【００２２】
［文字板］
図３、図４に示すように、文字板２０は、積層された第１板材５０および第２板材６０によって構成されている。第１板材５０は、第２板材６０の裏面側に配置されている。文字板２０が積層された板材５０，６０によって構成されることで、文字板２０に立体感を出すことができ、デザイン性を向上できる。
【００２３】
［第１板材］
第１板材５０は、透光性を有するプラスチックを材料とし、円板状に形成されている。第１板材５０は、文字板受けリング３０と略同じサイズで形成され、裏面が文字板受けリング３０の突出部３５〜３８の表面に当接している。これにより、ムーブメント１１に対する文字板２０の高さ位置が規定される。また、文字板２０とムーブメント１１の地板との間に所定の空間が形成され、この空間に太陽電池４０や日車２６などが配置される。
第１板材５０の外周側には、第２板材６０に設けられた突出ピン６１，６２が挿通する２つの貫通孔５１，５２が形成されている。
また、第１板材５０の外周側には、文字板受けリング３０の突起部３５２，３６２，３７２，３８２と係合する４つの係合溝５３，５４，５５，５６が形成されている。
また、第１板材５０には、時針２１、分針２２、秒針２３の指針軸が挿通する孔５０１と、クロノグラフ秒針２４の指針軸が挿通する孔５０２と、クロノグラフ分針２５の指針軸が挿通する孔５０３と、日車２６に表記された数字を視認させる孔５０４とが形成されている。
【００２４】
［第２板材］
文字板２０の最表層である第２板材６０は、真鍮などの金属を材料とし、円板状に形成されている。第２板材６０は、第１板材５０と同じサイズか、第１板材５０よりも若干大きいサイズで形成され、裏面が第１板材５０の表面に当接している。
第２板材６０の外周側には、裏面から突出した円柱状の２つの突出ピン６１，６２が設けられている。突出ピン６１，６２は、溶接やろう付けなどによって、円板状の本体部に接合されている。
突出ピン６１，６２は、第２板材６０の平面中心に対して、略点対称となる位置に形成されている。
また、突出ピン６１，６２は、前記平面視において、第２板材６０の表面側に形成された加飾部材であるインデックス２７（図１参照）とは重ならない位置に形成されていることが好ましい。すなわち、インデックス２７が取り付けられる第２板材６０の表面には、図示しない凹部が形成されているため、第２板材６０における前記平面視でインデックス２７と重なっている部分は、他の部分と比べて薄く形成されており、強度が低い。このため、突出ピン６１，６２は、前記平面視においてインデックス２７とは重ならない位置に形成されていることが好ましい。
突出ピン６１は、第１板材５０の貫通孔５１を挿通し、文字板受けリング３０の固定孔３５１に圧入され、固定されている。突出ピン６２は、第１板材５０の貫通孔５２を挿通し、文字板受けリング３０の固定孔３６１に圧入され、固定されている。
【００２５】
また、第２板材６０には、クロノグラフ秒針２４が配置される平面形状が円形の開口部６０２と、クロノグラフ分針２５が配置される平面形状が円形の開口部６０３とが形成されている。すなわち、クロノグラフ秒針２４およびクロノグラフ分針２５は、第２板材６０の表面側に配置される時針２１、分針２２、秒針２３に対して、第１板材５０に近い方向に位置している。
また、第２板材６０には、時針２１、分針２２、秒針２３の指針軸が挿通する孔６０１と、日車２６に表記された数字を視認させる孔６０４とが形成されている。
また、第２板材６０の表面は、ケース本体３の内周側に突出した突出部３Ａ（図２参照）の裏面に当接している。これにより、第２板材６０のカバーガラス８側への移動は規制されている。これにより、突出ピン６１，６２が文字板受けリング３０から外れることを抑制でき、文字板２０を文字板受けリング３０に強固に固定できる。
【００２６】
図６は、第２板材６０の突出ピン６１と、文字板受けリング３０の固定孔３５１との固定部分を示す断面図である。なお、図示は省略するが、突出ピン６２と固定孔３６１との固定部分も同様の断面構造である。
時計１では、突出ピン６１，６２が、第１板材５０の貫通孔５１，５２を挿通し、文字板受けリング３０の固定孔３５１，３６１に圧入され、固定されることで、第２板材６０は、文字板受けリング３０に固定される。
また、第１板材５０は、第２板材６０と文字板受けリング３０とで挟持され、かつ、貫通孔５１，５２に挿通された突出ピン６１，６２によって、平面方向の移動が規制されることで、文字板受けリング３０に固定される。なお、第１板材５０の熱膨張を許容できるように、貫通孔５１，５２の内径は、突出ピン６１，６２の直径よりも大きい。
【００２７】
［突出ピンおよび固定孔の固定構造］
固定孔３５１は、突出ピン６１が圧入される前は、図７に示すように、前記平面視において、文字板受けリング３０の平面中心に向かうＲ方向に長い長孔で構成されている。
この長穴の幅寸法ＤＳは、突出ピン６１の直径よりも小さい。この寸法の差分が締め代となり、突出ピン６１が固定孔３５１に圧入されることで、突出ピン６１が文字板受けリング３０に固定される。
また、この長穴の長さ寸法ＤＬ（Ｒ方向の寸法）は、突出ピン６１の直径よりも大きい。このため、突出ピン６１の位置が、Ｒ方向またはＲ方向とは反対方向に多少ずれていても、固定孔３５１に突出ピン６１を圧入できる。
なお、図示は省略するが、突出ピン６２および固定孔３６１の固定構造も同様である。
【００２８】
［実施形態の作用効果］
時計１によれば、上記固定構造により、文字板２０を構成する第１板材５０および第２板材６０を文字板受けリング３０に強固に固定できる。
また、突出ピン６１，６２を文字板受けリング３０に固定させる工程のみで、各板材５０，６０を固定できるため、例えば、板材５０，６０を互いに連結する工程と、連結された２枚の板材をムーブメント１１などに固定する工程とを行うことで、各板材５０，６０を固定する場合と比べて、時計１の組み立てを簡略化できる。
【００２９】
突出ピン６１，６２は、日車２６や太陽電池４０などの部品と干渉しないように外周縁近傍に位置している。このため、文字板２０のサイズが変われば、突出ピン６１，６２の位置も変わる。したがって、例えば、突出ピン６１，６２が、ムーブメント１１が備える地板に固定されている場合は、文字板２０のサイズが異なる場合、ムーブメント１１の構成を変更する必要がある。これに対して、時計１によれば、突出ピン６１，６２は、文字板受けリング３０に固定されているため、文字板２０のサイズが異なる場合であっても、文字板受けリング３０のサイズや固定孔３５１，３６１の位置を変更すればよく、ムーブメント１１の構成は変更しなくてよい。これにより、文字板２０のサイズが異なる時計１を容易に製造できる。
【００３０】
太陽電池４０の外周縁は、前記平面視において、突出ピン６１，６２の内側に位置しているため、太陽電池４０に突出ピン６１，６２を挿通させる貫通孔を形成することなく、突出ピン６１，６２を文字板受けリング３０に固定させることができる。このため、別途、太陽電池４０に孔開け加工を行う必要がない。
【００３１】
第１板材５０および第２板材６０を、接着剤や粘着剤を用いて互いに接合させなくても文字板受けリング３０に固定できる。このため、第１板材５０と第２板材６０とで熱膨張係数が異なっていても、熱が与えられた際に互いを引っ張り合うことがないため、文字板２０の反りを抑制できる。
【００３２】
突出ピン６１，６２は、文字板受けリング３０に固定されるため、ムーブメント１１が備える地板に固定される場合と比べて、突出ピン６１，６２の長さを短くでき、突出ピン６１，６２を折れにくくすることができる。
【００３３】
文字板受けリング３０において、固定孔３５１，３６１は、第１板材５０の裏面が当接している突出部３５，３６に形成されている。これによれば、突出ピン６１，６２を固定孔３５１，３６１に圧入する際、突出部３５，３６が度決めとして機能するため、突出ピン６１，６２の圧入を適切に行うことができる。
【００３４】
［他の実施形態］
なお、本発明は前記実施形態の構成に限定されず、本発明の要旨の範囲内で種々の変形実施が可能である。
【００３５】
前記実施形態では、文字板２０は、２枚の板材５０，６０で構成されているが、本発明はこれに限定されない。すなわち、３枚以上の板材で構成されていてもよい。この場合、最表層の板材の裏面に、文字板受けリング３０の固定孔３５１，３６１に圧入される突出ピンが設けられる。さらに、最表層以外の板材、すなわち、最表層の板材よりも文字板受けリング３０側の板材に、それぞれ、突出ピンが挿通する貫通孔が形成される。
【００３６】
ここで、文字板が３枚の板材で構成されている例を、図８に示す。
この例では、第２板材６０Ａの表面側に、第３板材７０が設けられている。
第３板材７０は、金属を材料とし、円環状に形成されている。第３板材７０は、第１板材５０および第２板材６０Ａよりも若干大きいサイズで形成されている。また、第３板材７０の裏面には、文字板受けリング３０の固定孔３５１，３６１に圧入される突出ピン７１，７２が設けられる。
第２板材６０Ａは、プラスチックなどで形成され、外周側には、突出ピン７１，７２が挿通される貫通孔６３，６４が形成されている。その他の構成は、実施形態の第２板材６０と同様である。
この例においても、突出ピン７１，７２が、第２板材６０Ａの貫通孔６３，６４、および、第１板材５０の貫通孔５１，５２を貫通し、固定孔３５１，３６１に圧入されることで、各板材７０，６０Ａ，５０は、文字板受けリング３０に固定される。
【００３７】
前記実施形態および前記他の実施形態では、最表層の板材は金属で形成され、最表層以外の板材はプラスチックで形成されているが、本発明はこれに限定されない。すなわち、各板材を、他の材料で形成してもよい。
例えば、最表層の板材を、プラスチックで形成してもよい。ただし、金属で形成した方が、突出ピン６１，６２を折れにくくできるため好ましい。また、例えば、時計が太陽電池を備えていない場合は、最表層以外の板材を、金属などの透光性を有していない材料で形成してもよい。また、当該最表層以外の板材に、カーボンシートを用いてもよい。
ただし、最表層の板材と、最表層以外の板材の少なくとも１つとは、互いに異なる材料で形成されていることが好ましい。これによれば、前記実施形態のように、最表層の板材は、外観を向上させるため、金属で形成し、最表層以外の板材は、加工が金属よりも容易なプラスチックで形成することができる。このように、外観や加工のし易さや機能などに応じて、各板材の材料を自由に選択できるため、すべての板材が同じ材料で形成されている場合と比べて、設計の自由度を向上できる。
【００３８】
前記実施形態の時計１は、ダイヤルリングを備えていないが、例えば、図９に示すように、時計は、文字板２０の表面側に、文字板２０の外周縁に沿って配置された円環状のダイヤルリング１３を備えていてもよい。
この場合、ダイヤルリング１３の表面は、ケース本体３の内周側に突出した突出部３Ａの裏面に当接する。そして、第２板材６０の表面は、ダイヤルリング１３の裏面に当接する。これにより、第２板材６０のカバーガラス８側への移動は規制される。これにより、突出ピン６１，６２が文字板受けリング３０から外れることを抑制でき、文字板２０を文字板受けリング３０に強固に固定できる。
また、ダイヤルリング１３には、裏面から突出した突出部１３１が形成され、突出部１３１により、第２板材６０の、ケース本体３に近づく方向への移動が規制されている。
【００３９】
前記実施形態では、第２板材６０には、２本の突出ピン６１，６２が設けられているが、本発明はこれに限定されない。すなわち、１本、または、３本以上の突出ピンが設けられていてもよい。ただし、第２板材６０を文字板受けリング３０に確実に固定するには、突出ピンの数は２本以上であることが好ましい。
【００４０】
前記実施形態では、突出ピン６１，６２は、圧入によって文字板受けリング３０に固定されているが、本発明はこれに限定されない。例えば、接着剤などによって文字板受けリング３０に固定されていてもよい。
【００４１】
前記実施形態では、時計１は、発電部として太陽電池４０を備えているが、本発明はこれに限定されない。例えば、発電部として、回転錘の回転によって発電する発電機を備えていてもよい。
また、前記実施形態では、ムーブメント１１は、発電部が発電した電力を充電する二次電池を備えているが、本発明はこれに限定されない。すなわち、ボタン型の一次電池を備えていてもよい。この場合は、発電部は備える必要がない。
また、ムーブメント１１は、電力を使わない、ゼンマイの駆動力で輪列を回転し、調速機構で調速する機械式時計用のムーブメントでもよい。
【符号の説明】
【００４２】
１…時計、１０…文字板ユニット、１１…ムーブメント、１３…ダイヤルリング、２０…文字板、３０…文字板受けリング（文字板受け部材）、３５〜３８…突出部、４０…太陽電池、５０…第１板材、５１，５２，６３，６４…貫通孔、５３〜５６…係合溝、６０，６０Ａ…第２板材、６１，６２，７１，７２…突出ピン、７０…第３板材、３５１，３６１…固定孔、３５２，３６２，３７２,３８２…突起部、４０１〜４０４，５０１〜５０４，６０１，６０４…孔、６０２，６０３…開口部。
【図１】
2017181081.tif 000003
【図２】
2017181081.tif 000004
【図３】
2017181081.tif 000005
【図４】
2017181081.tif 000006
【図５】
2017181081.tif 000007
【図６】
2017181081.tif 000008
【図７】
2017181081.tif 000009
【図８】
2017181081.tif 000010
【図９】
2017181081.tif 000011